(57)【要約】【課題】生ゴミの乾燥処理を季節に左右されることなく年間を通じて安定良く短時間で行うことができ、しかも、特別な臭気対策手段を備えさせなくても臭気の発生を効果的に抑えることができる乾燥式生ゴミ処理装置を提供する。【解決手段】生ゴミ乾燥処理室２に排気口３と給気口４とが設けられ、該排気口３と給気口４とが生ゴミ処理室２の外でダクト５により連通され、ファン６により、生ゴミ処理室２内の空気がダクト５を通じてすべて生ゴミ処理室２内に戻されるようになされており、かつ、ダクト５を通じて生ゴミ処理室２に戻される空気を除湿する除湿機７が備えられている。【選択図】      図１
2006043665.tif 000002
【特許請求の範囲】
【請求項１】
生ゴミを乾燥させて処理する密閉した生ゴミ乾燥処理室に排気口と給気口とが設けられ、該排気口と給気口とが生ゴミ処理室の外でダクト類により連通され、ファンにより、生ゴミ処理室内の空気がダクト類を通じてすべて生ゴミ処理室内に戻されるようになされており、かつ、ダクト類を通じて生ゴミ処理室に戻される空気を除湿する除湿機が備えられていることを特徴とする乾燥式生ゴミ処理装置。
【請求項２】
除湿機が冷却機からなり、冷却機で冷却された空気の温度を上昇させる加熱部が備えられ、該加熱部で温度を上昇させた空気が生ゴミ乾燥処理室に戻されるようになされている請求項１に記載の乾燥式生ゴミ処理装置。
【請求項３】
生ゴミを収容する生ゴミ収容部と、該生ゴミ収容部をお湯漬け状態にするお湯収容部とが備えられ、生ゴミ収容部内を生ゴミ乾燥処理室として生ゴミをお湯収容部内のお湯の熱で乾燥させていくようになされており、かつ、
お湯収容部を加熱部とし、冷却機で冷却され、お湯収容部のお湯の熱で加熱された空気が、生ゴミ乾燥処理室に戻されるようになされている請求項２に記載の乾燥式生ゴミ処理装置。
【発明の詳細な説明】
【技術分野】
【０００１】
本発明は、乾燥式生ゴミ処理装置に関する。
【背景技術】
【０００２】
生ゴミを乾燥させて減容化する乾燥式生ゴミ処理装置として、密閉した乾燥処理室での生ゴミの乾燥処理中に、処理室内の空気をファンで臭突を通じて外に排気すると共に、外気を処理室に取り入れるようにしたものが、従来より提供されている。
【発明の開示】
【発明が解決しようとする課題】
【０００３】
しかしながら、上記の処理装置では、乾燥処理室に外気を取り入れるため、例えば、冬期には低温の外気が処理室に取り入れられてしまい、また、梅雨期には高湿の外気が処理室に取り入れられてしまい、それらの季節には生ゴミの乾燥が進みにくく、乾燥処理に長い時間が必要になるという問題がある。
【０００４】
また、上記の装置では、臭気対策手段として臭突が備えられているが、わざわざ臭突を備えさせなければならないし、それで充分でない場合は、脱臭装置も備えさせなければならず、臭気対策に要するコストが高くつくという問題があった。
【０００５】
本発明は、上記のような問題点に鑑み、生ゴミの乾燥処理を季節に左右されることなく年間を通じて安定良く短時間で行うことができ、しかも、特別な臭気対策手段を備えさせなくても臭気の発生を効果的に抑えることができる乾燥式生ゴミ処理装置を提供することを課題とする。
【課題を解決するための手段】
【０００６】
上記の課題は、生ゴミを乾燥させて処理する密閉した生ゴミ乾燥処理室に排気口と給気口とが設けられ、該排気口と給気口とが生ゴミ処理室の外でダクト類により連通され、ファンにより、生ゴミ処理室内の空気がダクト類を通じてすべて生ゴミ処理室内に戻されるようになされており、かつ、ダクト類を通じて生ゴミ処理室に戻される空気を除湿する除湿機が備えられていることを特徴とする乾燥式生ゴミ処理装置（第１発明）によって解決される。
【０００７】
この処理装置では、生ゴミ処理室内の空気がダクト類を通じてすべて生ゴミ処理室内に戻されるようになされていると共に、戻される空気は除湿機で除湿されて戻されるようになされているので、外気を取り入れる場合と同様に、戻された空気に生ゴミ乾燥処理室内の湿気を吸わせて生ゴミの乾燥を促進することができ、それでいて、生ゴミ乾燥処理室には外気が送り込まれず、そのため、生ゴミの乾燥処理を季節に左右されることなく年間を通じて安定良く短時間で行っていくことができる。
【０００８】
しかも、上記のように、完全循環方式を採用するものであるため、臭気が外に漏れ出ず、また、除湿機による除湿作用で脱臭もされ、特別な臭気対策手段を備えさせなくても臭気の発生を効果的に抑えることができる。
【０００９】
上記の装置において、除湿機が冷却機からなり、冷却機で冷却された空気の温度を上昇させる加熱部が備えられ、該加熱部で温度を上昇させた空気が生ゴミ乾燥処理室に戻されるようになされているのもよい（第２発明）。
【００１０】
この場合は、除湿機が冷却機からなっているので、生ゴミ乾燥処理室から送られてくる高湿の空気を効果的に除湿することができる。しかも、除湿された空気は、生ゴミ乾燥処理室に戻される前に加熱部で加熱されるようになされているので、生ゴミ乾燥処理室内の生ゴミが、戻される空気を受けて冷やされてしまい、生ゴミの乾燥処理速度を落としてしまうというようなことがなく、生ゴミを能率良く短時間で乾燥処理していくことができる。
【００１１】
また、生ゴミを収容する生ゴミ収容部と、該生ゴミ収容部をお湯漬け状態にするお湯収容部とが備えられ、生ゴミ収容部内を生ゴミ乾燥処理室として生ゴミをお湯収容部内のお湯の熱で乾燥させていくようになされており、かつ、
お湯収容部を加熱部とし、冷却機で冷却され、お湯収容部のお湯の熱で加熱された空気が、生ゴミ乾燥処理室に戻されるようになされているのもよい（第３発明）。
【００１２】
この場合は、生ゴミ乾燥処理室内の生ゴミをお湯の熱で乾燥させていく、いわゆる湯煎乾燥方式を採用するから、乾燥処理によって生ゴミをこがしてしまうおそれがなく、生ゴミを簡素な機構で安全に乾燥減容化することができる。しかも、お湯収容部を加熱部とし、戻される空気がお湯収容部のお湯の熱で加熱されるようになされているので、お湯収容部とは別に加熱部用のヒーターを備えさせる場合に比べてコスト的な有利性を発揮することができると共に、加熱部を装置にコンパクトに組み込むことができ、また、生ゴミ収容部内の生ゴミを、戻される空気の加熱によって冷やしてしまうということもない。
【発明の効果】
【００１３】
本発明は、以上のとおりのものであるから、生ゴミの乾燥処理を季節に左右されることなく年間を通じて安定良く短時間で行うことができ、しかも、特別な臭気対策手段を備えさせなくても臭気の発生を効果的に抑えることができる。
【発明を実施するための最良の形態】
【００１４】
次に、本発明の実施最良形態を図面に基づいて説明する。
【００１５】
図１に示す第１実施形態の乾燥式生ゴミ処理装置１において、２は生ゴミ乾燥処理室であり、該生ゴミ乾燥処理室２には排気口３と給気口４とが設けられ、排気口３と給気口４とは、生ゴミ処理室２の外で、ダクト５により連通されており、該ダクト５にはファン６が介設され、ファン６を駆動することにより、生ゴミ処理室２内の空気がダクト５を通じてすべて生ゴミ処理室２内に戻されるようになされており、ダクト５にはその循環空気を除湿する除湿機７が介設されている。
【００１６】
上記の乾燥式生ゴミ処理装置１では、処理室２に生ゴミを入れ、運転を開始し、例えば、生ゴミ乾燥処理室２内の温度を６０°Ｃ、除湿機７は、温度６０°Ｃ、湿度１００％の空気を、温度２０°Ｃ、湿度１００％の空気にする設定にしておくと、除湿機７で温度２０°Ｃに冷やされた空気は、処理室２内に戻って６０°Ｃになることで湿度を下げ、処理室２内の湿気を吸って、生ゴミの乾燥が促進される。
【００１７】
そして、このように、処理室２内の空気をダクト５で循環させ、処理室２には、除湿機７で除湿された温度２０°Ｃの空気が戻されるようになされていて、外気が処理室２内に送り込まれないので、冬期に低温の空気が処理室２内に送り込まれたり、梅雨期に高湿の空気が処理室２内に送り込まれたりすることがなく、生ゴミの乾燥処理を季節に左右されることなく年間を通じて安定良く短時間で行っていくことが可能となる。特に、冬期には、外気を処理室２に送り込む場合に比べて、熱エネルギーのロスを小さく抑えることができる。
【００１８】
しかも、上記のように、空気をダクト５で完全循環させる方式を採用しているため、生ゴミからの臭気が外に漏れ出ず、また、除湿機７による除湿作用で脱臭もされ、特別な臭気対策手段を備えさせなくても臭気の発生を効果的に抑えることができる。
【００１９】
図２に示す第２実施形態の乾燥式生ゴミ処理装置１は、生ゴミ８を収容する生ゴミ収容部９と、生ゴミ収容部９をお湯漬け状態にするお湯収容部１０とが備えられ、生ゴミ収容部９内を生ゴミ乾燥処理室２として生ゴミ８をお湯収容部１０内のお湯の熱で乾燥させていく湯煎乾燥式の処理装置として構成されている。１１は攪拌機である。なお、お湯収容部１０内のお湯１２は、該お湯収容部１０内に設置された電気ヒーター１３でつくられるようになされているが、循環式の給湯でお湯収容部１０内にお湯を形成するものなどであってもよい。
【００２０】
そして、生ゴミ乾燥処理室２を形成している生ゴミ収容部９に、排気口３と給気口４とが設けられると共に、お湯収容部１０の外壁部分にお湯収容部１０を加熱部とする加熱用の熱交換器１４が付設され、排気口３と熱交換器１４の入口とがダクト５で連通状態に接続されると共に、該ダクト５に、ヒートポンプ式の除湿機７、即ち冷却機と、ファン６とが介設され、また、熱交換器１４の出口と給気口４とがダクト５で連通されている。
【００２１】
この乾燥式生ゴミ処理装置１では、生ゴミ収容部９内の処理室２に生ゴミ８を入れ、運転を開始すると、処理室２から排気口３を例えば６０°Ｃで出て、除湿機７で例えば２０°Ｃに冷やされた空気は、熱交換器１４を通過することによってお湯収容部１０内のお湯１２の熱で例えば６０°Ｃに加熱されたのち、給気口４を通じて処理室２に戻される。従って、処理室２内の生ゴミ８が、戻される空気を受けて冷やされてしまうことがなく、生ゴミ８を、能率良く、より短時間で乾燥処理していくことができる。
【００２２】
また、本装置１は、上記のように湯煎乾燥方式を採用するから、乾燥処理によって生ゴミをこがしてしまうおそれがなく、生ゴミ８を簡素な機構で安全に乾燥減容化することができるのはもちろん、お湯収容部１０を加熱部とし、戻される空気をお湯収容部１０のお湯１２の熱で加熱するようにしているので、設備コストを低く抑えることができると共に、熱交換器１４を含む加熱部を装置１にコンパクトに組み込むことができ、また、生ゴミ収容部９内の生ゴミ８を、戻される空気の加熱によって冷やして生ゴミ８の乾燥処理を遅らせてしまうということもない。もちろん、第１実施形態の装置と同様に、生ゴミ８の乾燥処理を季節に左右されることなく年間を通じて安定良く短時間で行うことができ、しかも、特別な臭気対策手段を備えさせなくても臭気の発生を効果的に抑えることができる。
【００２３】
以上に、本発明の実施形態を示したが、本発明はこれに限られるものではなく、発明思想を逸脱しない範囲で各種の変更が可能である。例えば、第１発明及び第２発明では、除湿機の除湿方式に制限はなく、各種方式で除湿を行うものであってよいし、また、生ゴミの乾燥処理に用いる熱源についても制限はなく、乾燥用の釜を電気ヒーター方式で加熱する方式のものや、釜を蒸気で加熱する方式のもの、あるいは、釜をお湯で湯煎方式で加熱する方式のものなど、各種乾燥処理装置に適用することができる。また、第２発明における加熱部は、処理室１に戻される空気を、生ゴミを乾燥処理するのに用いられる熱源とは異なる熱源で加熱するものからなっていてもよい。
【図面の簡単な説明】
【００２４】
【図１】第１実施形態の乾燥式生ゴミ処理装置の構成を示す説明図である。
【図２】図（イ）は第２実施形態の乾燥式生ゴミ処理装置の構成を示す説明図、図（ロ）は同装置における加熱部の構成を示す斜視図である。
【符号の説明】
【００２５】
１…乾燥式生ゴミ処理装置
２…生ゴミ乾燥処理室
３…排気口
４…給気口
５…ダクト（ダクト類）
６…ファン
７…除湿機
８…生ゴミ
９…生ゴミ収容部
１０…お湯収容部（加熱部）
１２…お湯
１４…熱交換器（加熱部）
【図１】
2006043665.tif 000003
【図２】
2006043665.tif 000004